(57)【要約】  本発明は、軸線方向に延びる複数の平行なチャネル（１）を取り囲むカウンタマス容器（２）に関する。また、本発明は、複数のこの種のカウンタマス容器（２）のアセンブリに関する。本発明はまた、この種のアセンブリを収容する砲身（５）を備える兵器に関する。【選択図】  図１
2020502463.tif 000002
【特許請求の範囲】
【請求項１】
軸線方向に延びる複数の平行なチャネル（１）を取り囲んでいるカウンタマス容器（２）。
【請求項２】
カウンタマス材料を収容している、請求項１に記載のカウンタマス容器（２）。
【請求項３】
軸線方向長さが、３０ｍｍ〜１５０ｍｍの範囲内である、請求項１または２に記載のカウンタマス容器（２）。
【請求項４】
半径方向長さが、６ｃｍ〜１２ｃｍの範囲内である、請求項１〜３のいずれか一項に記載のカウンタマス容器（２）。
【請求項５】
前記チャネル（１）の直径が、５ｍｍ〜３０ｍｍの範囲内である、請求項１〜４のいずれか一項に記載のカウンタマス容器（２）。
【請求項６】
前記チャネルが、０．１ｍｍ〜２ｍｍの範囲内である厚さを有するチャネル壁を有する、請求項１〜５のいずれか一項に記載のカウンタマス容器（２）。
【請求項７】
半径方向長さに対する軸線方向長さの比が、０．３〜２の範囲内である、請求項１〜６のいずれか一項に記載のカウンタマス容器（２）。
【請求項８】
囲い壁が、前記チャネル（１）を取り囲んでいる、請求項１〜７のいずれか一項に記載のカウンタマス容器（２）。
【請求項９】
前記チャネル（１）が、六角形断面を有する、請求項１〜８のいずれか一項に記載のカウンタマス容器（２）。
【請求項１０】
前記容器が、ポリマー材料で作られている、請求項１〜９のいずれか一項に記載のカウンタマス容器（２）。
【請求項１１】
請求項１〜１０のいずれか一項に記載のカウンタマス容器（２）を複数備えるアセンブリ。
【請求項１２】
２個〜１００個の前記容器を備える、請求項１１に記載のアセンブリ。
【請求項１３】
少なくとも１つの推進剤容器（３）が、複数の前記カウンタマス容器（２）の間に配置されている、請求項１１または１２に記載のアセンブリ。
【請求項１４】
少なくとも１つのカウンタマス容器（２）および少なくとも１つの推進剤容器（３）が、互いに隣接して配置されている、請求項１１〜１３のいずれか一項に記載のアセンブリ。
【請求項１５】
導火線が、発射体とカウンタマス容器との間に配置された少なくとも１つの推進剤容器に収容された推進剤に点火するように配置されている、請求項１１〜１４のいずれか一項に記載のアセンブリ。
【請求項１６】
少なくとも１つの推進剤容器（３）をさらに備える、請求項１１〜１５のいずれか一項に記載のアセンブリ。
【請求項１７】
請求項１１〜１６のいずれか一項に記載のアセンブリを収容している砲身（５）を備える兵器。
【発明の詳細な説明】
【技術分野】
【０００１】
本発明は、カウンタマス容器および推進剤容器に関する。本発明はまた、少なくとも１つのカウンタマス容器および少なくとも１つの推進剤容器を備えるアセンブリ、ならびにこの種のアセンブリを収容する無反動兵器に関する。
【背景技術】
【０００２】
対戦車兵器および対装甲用兵器などの兵器において発射体の発射の後で発生する反動力を相殺するための種々の方法が、当業界において知られている。反対向きの衝撃が発生しない場合、反動力は、安全上の理由からオペレータに対して兵器を使用できなくする場合がある。この問題に対処する１つの方法は、反力をもたらすように、燃焼した推進剤ガスを高超音速で通気する円錐形の圧縮／膨張ラバールノズルを兵器の後端に配置することである。この問題に対処するもう１つの方法は、発射体とカウンタマスとの間で膨張する火薬（推進剤）によって生じるガス圧によって発射体が発射される場合に砲身の中に音速で後方に加速されるカウンタマスを使用することである。この原理は、例えば、オリジナルの反動のないＤａｖｉｓ  Ｇｕｎデザインで使用されている。
【０００３】
しかしながら、カウンタマス原理に基づく無反動兵器を使用する場合、とりわけヒット率に影響を及ぼす対称性の問題が生じ得る。この種の対称性の問題の１つの例は、カウンタマスが斜めに放出される場合に発生する。このような発生の１つの影響因子は、カウンタマスの周りに生じる非対称ガス通気である場合があり、この非対称ガス通気は、次には、また発射段階で兵器を回転し得る砲身の後部で生じる圧力差をもたらし得る。
【０００４】
本発明の１つの目的は、従来の技術に比べて射手の近傍の圧力上昇を低減し、それにより狭いスペースで、例えば射手にとってセキュリティリスクがない都市部で本発明の使用を可能にすることである。本発明のさらなる目的は、その発射以後の未分散カウンタマス材料に関する問題を排除することである。本発明のさらなる目的は、本発明によるカウンタマス容器で貯蔵され輸送されるカウンタマス材料の均一な分布を確実にすることである。
【発明の概要】
【０００５】
本発明は、軸線方向に延びる複数の平行なチャネルを取り囲むカウンタマス容器に関する。１つの実施形態によれば、少なくとも１つの伸長チャネル、好ましくは２つの伸長チャネルまたは３つ以上の伸長チャネルは、好ましくはカウンタマスおよびカウンタマス容器が配置される小火器に適合した量のカウンタマスを収容する。１つの実施形態によれば、カウンタマス容器は、その対称的な分布をもたらす、少なくとも１つの伸長チャネル、好ましくは少なくとも２つの伸長チャネルにカウンタマス材料を収容する。１つの実施形態によれば、カウンタマス容器は、３０ｍｍ〜１５０ｍｍ、例えば７５ｍｍ〜１５０ｍｍ、または例えば７５ｍｍ〜１００ｍｍの範囲内である軸線方向長さを有する。１つの実施形態によれば、カウンタマス容器は、６ｃｍ〜１２ｃｍの範囲内である半径方向長さを有する。１つの実施形態によれば、カウンタマス容器のチャネルは、５ｍｍ〜３０ｍｍの範囲内である平均直径を有する。１つの実施形態によれば、カウンタマス容器は、０．１ｍｍ〜２ｍｍの範囲内である厚さを有するチャネル壁を有する。１つの実施形態によれば、カウンタマス容器は、０．３〜２、好ましくは０．５〜０．８の範囲内である、半径方向長さに対する軸線方向長さの比を有する。１つの実施形態によれば、囲い壁は、適切な口径の砲身内に配置されるのに適したチャネルを取り囲む。１つの実施形態によれば、用語「カウンタマス容器」によって、反動を、好ましくは部分的にまたは完全に兵器の反動を打ち消す材料ための容器を含むことを意味する。１つの実施形態によれば、用語「導火線」によって、複数のカウンタマス容器のアセンブリにおける火炎または爆発を伝達するためのコード、チューブまたは任意の他の手段を含むことを意味する。カウンタマス容器の用語「軸線方向長さ」によって、カウンタマス容器の対称線に沿って延びる長さを意味する。カウンタマス容器の用語「半径方向長さ」によって、容器の平均直径を意味する。用語「チャネル」によって、カウンタマス材料、推進剤、点火薬などを収容することができ、そこからチャネル材料が発射の後で最終的に出て行くことができるエンクロージャを意味する。用語「複数のチャネル」によって、少なくとも２つのチャネルを意味する。例えば、２つの部分に分割されたカウンタマス容器、好ましくは円筒形容器が含まれる。好ましくは、約２〜約２００、より好ましくは５〜約２００、例えば約５０〜約１５０のチャネルが、カウンタマス容器に含まれる。１つの実施形態によれば、２〜１００個、例えば２〜５０個、または５〜５０個、より好ましくは１０〜３０個のチャネルが、カウンタマス容器に含まれる。
【０００６】
１つの実施形態によれば、好ましくは約８４ｍｍの兵器の口径で使用するために、チャネルの平均直径は、約５ｍｍ〜約３０ｍｍ、好ましくは約６ｍｍ〜約９ｍｍの範囲内である。１つの実施形態によれば、チャネルの横断面は、円形、六角形、八角形、または正方形の形状、好ましくは正方形の形状である。
【０００７】
１つの実施形態によれば、好ましくは約８４ｍｍの兵器の口径で使用するために、カウンタマス容器は、同一または異なる横断面を持つ複数のチャネルから成る。好ましくは、約８４ｍｍの場合の兵器の口径を持つチャネルの直径は、５ｍｍ〜３０ｍｍ、好ましくは６ｍｍ〜９ｍｍの範囲内である。１つの実施形態によれば、カウンタマス容器は、ポリマー、プラスチックなど、好ましくはポリマーから構成される。好ましくは、少なくとも１つの端板は、砲身に収容される場合に発射より前にカウンタマス材料の軸線方向への漏れを防止する。好ましくは、第１の端板が、砲身の後端からある一定の距離を置いて配置され、第２の端板が後端に、したがって第１の端板からある一定の距離を置いて配置される。好ましくは、少なくとも２つの端板が、容器のチャネルの円滑な分解、および、前記少なくとも２つの端板の間のカウンタマス材料の均一な分散を可能にするように配置される。この種の分解は、最終的には射手を襲うスラグなどの固体の塊を守る。好ましくは、前記少なくとも２つの端板の間の領域の砲身は、チャネルのさらなる滑らかで安全な分解を高めるように後端に向かって拡大している。１つの実施形態によれば、破壊表示を持つ端板が含まれる。好ましくは、前記少なくとも１つの端板および複数のチャネルは、圧力および熱の増加により発射の後で分解され、その結果、カウンタマス材料と通気された燃焼した推進剤ガスとの混合物がもたらされる。
【０００８】
１つの実施形態によれば、好ましくは８４ｍｍの兵器の口径で使用するために、カウンタマス容器のチャネルは、約３０ｍｍ〜約１５０ｍｍ、例えば７５ｍｍ〜１５０ｍｍ、または７５ｍｍ〜１００ｍｍの範囲内である軸線方向長さを有する。軸線方向長さは、特定の用途およびカウンタマス材料に応じて変わり得る。チャネルは、使用される兵器の任意の設計、発射されるべき発射体の重量、用途などに適合され得る。
【０００９】
１つの実施形態によれば、好ましくは８４ｍｍの兵器の口径で使用するために、チャネルの平均直径対チャネルの軸線方向長さの比は、約０．０５〜約１、好ましくは０．１〜０．３の範囲内である。
【００１０】
１つの実施形態によれば、カウンタマス容器のチャネルを接合しまたは接続するさまざまな方法が、考えられ得る。好ましくは、カウンタマス容器を構成するチャネルは、一構成部分を構成する。１つの実施形態によれば、チャネルは、例えば任意の適切な接着剤によって互いに固定される。
【００１１】
１つの実施形態によれば、カウンタマス容器の材料は、固体、液体、または気体の状態に、あるいはそれらの混合物であり得る。１つの実施形態によれば、カウンタマスは、流体、例えば水または塩水などの液体である。好ましくは、カウンタマス材料は、あまり危険でない後方爆風を与えるように、好ましくは出口ノズルにおいて膨張した後に相当な量のエネルギーを吸収するように選択される。
【００１２】
本発明はさらに、本明細書において説明した複数のカウンタマス容器を備えるアセンブリに関する。好ましくは、アセンブリは、それが使用されることになる兵器の砲身に適合する設計を有する。軸線方向チャネルを備える軸線方向に延びるアセンブリの直径は、砲身に適合し、したがって、カウンタマスとして機能することができる。したがって、アセンブリは、好ましくは、平行なチャネルの束として軸線方向に延び、アセンブリの直径は、それが配置されることになる砲身に対応する。１つの実施形態によれば、アセンブリは、チャネルのうちの少なくとも１つにカウンタマス材料を収容する２個〜１００個のカウンタマス容器を備えることができる。１つの実施形態によれば、アセンブリは、複数のカウンタマス容器の間に配置される少なくとも１つの推進剤容器を備える。１つの実施形態によれば、アセンブリは、砲身内で互いに隣接して配置される少なくとも１つのカウンタマス容器、および少なくとも１つの推進剤容器を備える。１つの実施形態によれば、アセンブリは、発射されるべき発射体とカウンタマス容器との間に配置される推進剤に点火するための導火線を備える。１つの実施形態によれば、アセンブリは、カウンタマス容器と同じもしくは実質的には同じ構造および寸法を有する推進剤容器を備える。１つの実施形態によれば、また、着火材を収容する容器は、同じ構造および寸法を有することができる。例えば、推進剤容器は、カウンタマス容器と比較してさまざまな軸線方向長さを有することができる。同じチャネル構造が、カウンタマス材料の重要性と同じ推進剤の重要性のものであり得ることが見出されている。分散および均一な流動化が、推進剤および点火薬の均一な分布によってまた改善され得ることが見出されている。また、これは、砲身に適用するための容器の製造および組み立てを簡単にする。
【００１３】
１つの実施形態によれば、複数のカウンタマス容器を備えるアセンブリは、異なるカウンタマス容器に異なる種類のカウンタマス材料を収容することができる。例えば、１つのカウンタマス容器は、固体および液体カウンタマス材料の混合物を収容することができるが、さらなるカウンタマス容器（複数のカウンタマス容器）は、単に固体状態のカウンタマス材料を収容するに過ぎない。
【００１４】
１つの実施形態によれば、固体カウンタマス材料は、例えば、微粒子、粉末、顆粒、フレーク、グリット、またはそれらの混合物などの粒子、好ましくはスチールグリット、アルミニウムグリット、またはそれらの混合物などのグリットから選択される。カウンタマス材料はまた、さまざまなプラスチックまたはポリマー、好ましくは適切なサイズの粒子の形の、好ましくはポリマーから選択され得る。好ましくは、カウンタマス材料の密度は、０．５ｋｇ／ｄｍ３〜３０ｋｇ／ｄｍ３、例えば１ｋｇ／ｄｍ３〜１０ｋｇ／ｄｍ３、例えば２ｋｇ／ｄｍ３〜６ｋｇ／ｄｍ３、または３ｋｇ／ｄｍ３〜５ｋｇ／ｄｍ３の範囲内である。１つの実施形態によれば、１つのカウンタマス容器内のカウンタマスの総重量は、０．１ｋｇ〜１０ｋｇ、好ましくは０．５ｋｇ〜５ｋｇ、より好ましくは０．５ｋｇ〜２ｋｇ、最も好ましくは０．５ｋｇ〜１．５ｋｇの範囲内である。１つの実施形態によれば、カウンタマス材料は、適度にエネルギーを吸収する材料から成る。一例として、液体または気体状態に変換される固体カウンタマス材料が、兵器の後方外側の後方爆風のエネルギーを吸収するために使用され得る。
【００１５】
１つの実施形態によれば、カウンタマス材料の粒径は、約０．２ｍｍ〜約２ｍｍ、好ましくは約０．２ｍｍ〜約０．５ｍｍの範囲内である。適切な粒径を提供することによって、カウンタマス容器から出る粒子の流れは、兵器の背後でペースが急速に減速するような速度から成り、それによって望まれていない負傷者が回避され得る。
【００１６】
１つの実施形態によれば、複数のカウンタマス容器が、カウンタマス容器の間である一定の距離を置いて砲身に配置される。
【００１７】
１つの実施形態によれば、カウンタマス材料および推進剤は、同じチャネルに収容される。１つの実施形態によれば、発射と同時に点火される場合の推進剤は、カウンタマス材料を収容するカウンタマス容器と発射体との間の空間の圧力を高め、それによって燃焼した推進剤ガスは発射体を発射方向に加速し、カウンタマス材料を兵器の後端に向かって加速する。
【００１８】
１つの実施形態によれば、導火線が、発射されるべき発射体とカウンタマス容器との間に配置される少なくとも１つの推進剤容器に収容される推進剤に点火するように配置される。１つの実施形態によれば、点火器は、好ましくは雷管の点火火花を制御する制御カップに配置される、従来の雷管装置から成り得るプライマーである。
【００１９】
１つの実施形態によれば、推進剤は、中央に配置された導火線によって点火され、その結果、カウンタマスおよび推進剤容器のすべてのキャビティ内の圧力の上昇がもたらされる。
【００２０】
１つの実施形態によれば、中央に配置されるチャネルは点火薬を収容することができる。１つの実施形態によれば、中央に配置されるチャネルを取り囲むチャネルは、カウンタマス材料を備えることができる。適切には、燃焼したガス状推進剤は、点火薬の点火の後でアセンブリ全体にわたって軸線方向に膨張し得る。このようにして、アセンブリからのガスおよびカウンタマス材料の対称的な流れが得られ得、その結果、任意の適切な兵器についてとりわけヒット率の向上およびあまり危険でない後方爆風がもたらされる。好ましくは、中央チャネルは、容器の横断面の１０％〜８０％、より好ましくは４０％〜６０％に及ぶ。
【００２１】
１つの実施形態によれば、プライマーは、点火薬および／または推進剤を備える容器の表面に提供される。１つの実施形態によれば、プライマーは、第１の端板と点火薬および／または推進剤を備える容器との間の表面にプライマーが提供される。好ましくは、容器は、砲身の最後端に配置される。１つの実施形態によれば、点火薬は、推進剤の点火に備えるように点火薬および／または推進剤のための容器に提供される。１つの実施形態によれば、点火薬および／または推進剤を備える容器は、砲身の後端から少なくとも１００ｍｍ、または第１の端板から少なくとも１００ｍｍに配置される。
【００２２】
１つの実施形態によれば、カウンタマスおよび推進剤の複数の容器は、それぞれカウンタマス材料の流動化に備える。推進剤、例えば発射体に隣接する推進剤容器内の推進剤が燃焼されるにつれて、カウンタマス材料の流体およびガス状推進剤は、砲身の後端に向かって移動する。同時に、ガス状推進剤の一部が、発射方向に移動する。発射体が発射方向に推進されるにつれて、ガスおよびカウンタマス材料の流体は、対称的に後方に効果的に流れている。
【００２３】
好ましくは、端板は、カウンタマス容器の出口を覆い、したがって、カウンタマス材料がカウンタマス容器のチャネルを離れるのを防止する。
【００２４】
１つの実施形態によれば、端板には、亀裂のある表面または破壊表示が設けられる表面が設けられる。破壊表示は、例えば折り畳み支持体に配置される４つの開くことのできるフラップを画定することができる。したがって、端板は、亀裂のない対応する端板と比較してより破壊しやすくなる。端板は、強化ベークライトから製造されることができ、金属膜などの膜は、設けられた破壊表示において破壊しやすい。
【００２５】
カウンタマス材料は、兵器の発射まで適切な方法で維持されることが好ましい。好ましくは、任意のカウンタマス材料を使用している場合は、カウンタマス容器は、漏れが生じないことを確実にするように密封される。また、推進剤および／または点火薬材料は、密封容器を有することが好ましい。
【００２６】
１つの実施形態によれば、推進剤およびカウンタマスの容器は、例えば適切な接着剤で接着することによって、好ましくは推進剤およびカウンタマス容器を互いに固定することによって、互いに隣接して軸線方向に配置される。好ましくは、カウンタマス容器は、砲身の内径およびカートリッジまたは推進剤に対応し、それらに適合する形状を有し、それによって容器は砲身の内面にしっかりと固定され得る。好ましくは、容器および砲身の材料および形状は、剪断建物の反動を最小限にするように選択される。
【００２７】
複数のチャネルが設けられるカウンタマス容器が未分散カウンタマス材料、例えば固体状の材料に関する問題を軽減するか、または少なくとも減少させることが見出されている。本発明によるカウンタマス容器は、カウンタマス材料が詰まるかまたは不均等に自然に分散され始めて、それによりカウンタマス材料が砲身を出て行く際に発射の後でとりわけ兵器の後端で圧力差がもたらされるその後に危険が生じるある一定の時間の間、チャネルのないカウンタマス容器にカウンタマス材料が貯蔵される場合に生じ得る問題を防止する。カウンタマス材料の最適な粒径は、粒子の不均一な分散をさらに低減することができる。
【００２８】
カウンタマス、推進剤、点火薬などのための容器を構成する構成要素、およびアセンブリそれ自体が、任意の適切な材料、例えば適切なポリマーまたはポリマーの混合物で製造され得る。構成要素は、従来の３Ｄプリンタで製造され得る。
【００２９】
本発明はさらに、本明細書において説明されるアセンブリを収容する砲身を備える兵器に関する。１つの実施形態によれば、兵器は、再装填可能なまたは使い捨てタイプ、好ましくは再装填可能なタイプのものである。
【図面の簡単な説明】
【００３０】
【図１】カウンタマス容器の横断面を示す図である。
【図２ａ】カウンタマス構成の側面図を概略的に示す図である。
【図２ｂ】カウンタマス構成の側面図を概略的に示す図である。
【図３ａ】複数のカウンタマス容器および推進剤容器の配置を示す図である。
【図３ｂ】複数のカウンタマス容器および推進剤容器の配置を示す図である。
【図４】カウンタマス材料および推進剤に適した容器を概略的に示す図である。
【図５】六角形の横断面を持つチャネルを示す図である。
【図６】推進剤、カウンタマス材料などのための複数の容器を概略的に示す図である（チャネルは図示せず）。
【図７】正方形状のチャネルの横断面を示す図である。
【発明を実施するための形態】
【００３１】
図１は、コア８および１０を取り囲むチャネル１にカウンタマス材料を収容する容器２の断面図を示している。１つの実施形態によれば、容器２などの容器は、カウンタマス材料に加えて推進剤および／または点火薬を備えることができる。好ましくは、推進剤および／または着火材は、中央チャネルに、例えば容器の内側コア１０の２つ以上の中央チャネルに収容される。１つの実施形態によれば、中央チャネル、例えば外側コア８の２つ以上の中央チャネルは、カウンタマス材料、推進剤および／または着火材を収容することができる。周辺チャネル１のうちの少なくともいくつかは、カウンタマス材料を部分的にまたは完全に含まなくてもよく、すなわち、周辺チャネルのうちのいくつかは、カウンタマス材料を収容することができるが、他の容器は、カウンタマス材料がなくてもよい。好ましくは、カウンタマス容器２は、正方形状のチャネルを備える。好ましくは、容器２は、プラスチックもしくは紙などの不活性材料またはニトロセルロースなどの可燃性材料から製造される。
【００３２】
図２ａは、発射体４、推進剤容器３に封入される推進剤、図１の横断面に対応するカウンタマス容器２を収容する砲身５を示している。プライマー６は、砲身５に隣接して容器に配置される。破裂ディスク（端板）７が、砲身５の最後部に配置される。
【００３３】
最後尾の容器は、点火薬９および周辺に配置されたプライマー６を備えることができる。点火薬は、推進剤および粒子の混合物、例えば黒色粉末およびジルコニウム粒子の混合物であり得る。
【００３４】
図２ｂは、点火薬のプライマー６および推進剤による点火以後のカウンタマスの流動化状態を示している。燃焼した推進剤ガスが膨張するにつれて、ガスおよびカウンタマス材料の雲状の流体の形成が開始されて端板に向かって流れる。ゾーン１１（ある一定の時点で、例えば、点火薬の点火後の５ｍｓ）が示されており、そこで流体は、均一な方法で砲身から出て行き始めることになる。好ましくは、この設計は、超音速でカウンタマスを移動させるラバール型膨張を可能にする。
【００３５】
図３ａは、図２ａのカウンタマス容器に対応する複数のカウンタマス容器２を備えるアセンブリを示している。複数の中間推進剤容器３が、カウンタマス容器２の間に配置される。コア８および１０内の中央チャネルは、例えば、図２ａに説明された通りである。
【００３６】
図３ｂは、点火薬９および推進剤の点火後のカウンタマス容器アセンブリを示している。流動化は、推進剤の点火の後で起こり、それによって燃焼した推進剤ガスおよびカウンタマス材料は、高圧を維持する雲状の固体−ガス混合物を形成し、それによって発射体は、発射方向に推進され、カウンタマスおよび燃焼した推進剤の流体は，反対方向に対称に流れて端板を破壊する。形成された流体は、発射体が推進されるにつれて効率的に反動力を減少させまたは除去する。したがって、プライマーが１ｍｓかかり得ない点火薬に点火する時点から、流動化は、例えば５ｍｓ以内に開始し得るカウンタマス容器内の推進剤の燃焼に続いて開始される。
【００３７】
図４は、カウンタマス容器２を示している。容器の半径方向の拡張は、同じである。カウンタマス容器の軸線方向の伸長が図４では異なっており、異なる軸線方向長さの容器が、１つおよび同じアセンブリ内に存在し得ることを例示している。
【００３８】
図５は、六角形状のチャネル１を有する容器の横断面を示している。
【００３９】
図６は、砲身内で互いに距離を置いて軸線方向に配置され得る複数のカウンタマス容器２および推進剤容器３を示している。容器はまた、互いに隣接して配置され得る。また、容器は、例えば適切な接着剤によって接合され得る。推進剤容器３は、このように各カウンタマス容器２の間に配置され得る。
【００４０】
図７は、正方形チャネル１を持つ推進剤およびカウンタマス容器の好ましい横断面を示している。
【図１】
2020502463.tif 000003
【図２ａ】
2020502463.tif 000004
【図２ｂ】
2020502463.tif 000005
【図３ａ】
2020502463.tif 000006
【図３ｂ】
2020502463.tif 000007
【図４】
2020502463.tif 000008
【図５】
2020502463.tif 000009
【図６】
2020502463.tif 000010
【図７】
2020502463.tif 000011
【国際調査報告】
2020502463.tif 000012
2020502463.tif 000013
2020502463.tif 000014
2020502463.tif 000015